(57)【要約】【課題】室内等にて使用される気化式加湿装置において、気化による加湿動作を吸湿による色相変化の視認により報知する加湿装置を提供することを目的とする。【解決手段】吸込口２と吹出口３を連通し形成された空気流路に送風手段４を設けた本体１と、この本体１に設けた給水タンク６から一定水位に保たれるように給水される水槽７と、前記空気流路内に加湿フィルターユニット８と、吹出口３の加湿空気を吸湿し色相変化によって加湿空気が吹出されていることを報知する報知手段１０を備え、気化された加湿空気が吹出されていることを色相変化により報知することができる。【選択図】図１
2010249390.tif 000002
【特許請求の範囲】
【請求項１】
吸込口と吹出口を連通し形成された空気流路に送風手段を設けた本体と、この本体に設けた給水タンクから一定水位に保たれるように給水される水槽と、前記空気流路内に加湿フィルターユニットと、前記吹出口の加湿空気を吸湿し色相変化によって加湿空気が吹出されていることを報知する報知手段を備えたことを特徴とする加湿装置。
【請求項２】
報知手段を収納し外部から目視可能とする透明部材からなる収納手段と、収納手段は本体から着脱する着脱手段を備えたことを特徴とする請求項１記載の加湿装置。
【請求項３】
収納手段に報知手段を交換可能とする開閉手段を備えたことを特徴とする請求項２に記載の加湿装置。
【請求項４】
収納手段に報知手段を拡大する視野拡大手段を備えたことを特徴とする請求項２から３いずれかに記載の加湿装置。
【請求項５】
収納手段に報知手段を外部から目視可能とする表示手段を備え、表示手段の形状は文字、記号により報知することを特徴とする請求項２から４いずれかに記載の加湿装置。
【請求項６】
吸込口側の空気流路に収納手段を配置する配置手段を備えたことを特徴とする請求項１から５いずれか記載の加湿装置。
【請求項７】
送風手段の熱を伝導し放熱する熱伝導手段と、熱伝導手段は本体の収納手段装着面に備えたことを特徴とする請求項１から６のいずれかに記載の加湿装置。
【請求項８】
本体の収納手段装着面に報知手段の乾燥を促進する乾燥手段を備えたことを特徴とする請求項１から５のいずれかに記載の加湿装置。
【請求項９】
吹出口側空気流路に複数の着脱手段と、吸込口側空気流路に複数の配置手段と、複数の収納手段と、収納手段に収納する報知手段を備えたことを特徴とする請求項２から８いずれかに記載の加湿装置。
【発明の詳細な説明】
【技術分野】
【０００１】
本発明は、室内等の空間を吸水したフィルターに風を通して気化させることにより加湿する加湿装置に関するものである。
【背景技術】
【０００２】
従来、この種の加湿装置の一例として、吸水したフィルターを回転して加湿するものが知られていた（例えば特許文献１参照）。
【０００３】
以下、加湿装置について図１２を参照しながら説明する。
【０００４】
図１２に示すように、水槽部１０１と、この水槽部１０１に一定量の水を供給する給水用タンク１０２と、室内の乾燥した空気を取入れる吸込口１０３と室内に湿った空気を送る吹出口１０４と、両口間を連絡する風路中に配設された送風装置１０５と、この送風装置１０５の出口側に配設されたヒーター１０６と、小穴の開いた吸水性の良いシート状の素材をプリーツ折りして形成され、下端部を水槽部内の水に浸漬した気化フィルター１０７とにより構成されている。送風装置１０５によって吸込口１０３から吸い込まれた室内の乾燥した空気をヒーター１０６を通過させて加熱した後、水槽部１０１の水により湿潤した気化フィルター１０７を通過し、吹出口１０４から吹出される。気化フィルター１０７は回転自在とし、一方の下端部が水槽部１０１の水中に水没した状態と、水面と略水平に保持される状態と、他方の下端部が水中に水没する状態でそれぞれ停止するようにしている。
【特許文献１】特開２００３−３０２０７７号公報
【発明の開示】
【発明が解決しようとする課題】
【０００５】
このような従来の図１２の加湿装置では、加湿フィルターに水分を吸水させフィルター表面と空気の接触により水分を気化させるため、加湿空気が吹出されているのが目に見えず加湿されているのか判断できにくいという課題があり、気化による加湿空気の吹出しを目視で確認できるようにすることが要求されている。
【０００６】
本発明は、上記従来の課題を解決するもので、水分の気化による加湿空気の吹出しを吸湿し色相変化で報知することにより加湿空気が吹出されていることを報知する加湿装置を提供することを目的としている。
【課題を解決するための手段】
【０００７】
本発明の加湿装置は、上記目的を達成するために、吸込口と吹出口を連通し形成された空気流路に送風手段を設けた本体と、この本体に設けた給水タンクから一定水位に保たれるように給水される水槽と、前記空気流路内に加湿フィルターユニットと、前記吹出口の加湿空気を吸湿し色相変化によって加湿空気が吹出されていることを報知する報知手段を備えた構成としたものである。
【０００８】
この手段により、気化された加湿空気が吹出されていることを色相変化により報知する加湿装置が得られる。
【０００９】
また、他の手段は、報知手段を収納し外部から目視可能とする透明部材からなる収納手段と、収納手段は本体から着脱できる着脱手段を備えた構成としたものである。
【００１０】
この手段により、本体から離れた場所の加湿状態を色相変化により報知する加湿装置が得られる。
【００１１】
また、他の手段は、収納手段に報知手段を交換する開閉手段を備えた構成としたものである。
【００１２】
この手段により、報知手段が吸湿劣化したとき報知手段を交換することができる加湿装置が得られる。
【００１３】
また、他の手段は、収納手段に報知手段を拡大する視野拡大手段を備えた構成としたものである。
【００１４】
この手段により、報知手段の色相変化を拡大し認識を容易にする加湿装置が得られる。
【００１５】
また、他の手段は、収納手段に報知手段を外部から目視可能とする表示手段を備え、表示手段の形状は文字、記号により報知する構成としたものである。
【００１６】
この手段により、報知手段の色相変化を文字、記号により認識することができる加湿装置が得られる。
【００１７】
また、他の手段は、吸込口側の空気流路に収納手段を配置する配置手段を備えた構成としたものである。
【００１８】
この手段により、吸湿した報知手段を吸込口側の空気流路に収納し吸込空気とファンモーターの熱により報知手段の乾燥を促進することができる加湿装置が得られる。
【００１９】
また、他の手段は、送風手段の熱を伝導し放熱する熱伝導手段と、熱伝導手段は本体の収納手段装着面に備えた構成としてものである。
【００２０】
この手段により、送風手段の熱により熱伝導手段が暖められ熱伝導手段の熱により報知手段の乾燥を促進する加湿装置が得られる。
【００２１】
また、他の手段は、本体の収納手段を着脱する装着面に報知手段の乾燥を促進する乾燥手段を備えた構成としたものである。
【００２２】
この手段により、乾燥手段の熱により報知手段の乾燥を促進する加湿装置が得られる。
【００２３】
また、他の手段は、吹出口側空気流路に複数の着脱手段と、吸込口側空気流路に複数の収納手段と、複数の収納手段と、収納手段に収納する報知手段を備えた構成としたものである。
【００２４】
この手段により、複数の場所の加湿状態を色相変化により報知することができる。また、加湿装置の運転中に吹出口側の報知手段で報知しながら、吸込口側の吸湿した報知手段の乾燥を促進し、報知手段を入れ換えることにより利便性を向上することができる加湿装置が得られる。
【発明の効果】
【００２５】
本発明によれば、気化された加湿空気が吹出されていることを色相変化により報知する加湿装置を提供できる。
【００２６】
また、本体から離れた場所の加湿状態を色相変化により報知する加湿装置を提供できる。
【発明を実施するための最良の形態】
【００２７】
本発明の請求項１記載の発明は、吸込口と吹出口を連通し形成された空気流路に送風手段を設けた本体と、この本体に設けた給水タンクから一定水位に保たれるように給水される水槽と、前記空気流路内に加湿フィルターユニットと、前記吹出口の加湿空気を吸湿し色相変化によって加湿空気が吹出されていることを報知する報知手段を備えたものであり、気化された加湿空気が吹出されていることを色相変化により報知するという作用を有する。
【００２８】
また、請求項２記載の発明は、報知手段を収納し外部から目視可能とする透明部材からなる収納手段と、収納手段は本体から着脱できる着脱手段を備えたものであり、本体から離れた場所の加湿状態を色相変化により報知するという作用を有する。
【００２９】
また、請求項３記載の発明は、収納手段に報知手段を交換可能とする開閉手段を備えたものであり、報知手段の吸湿劣化したとき報知手段を交換することができるという作用を有する。
【００３０】
また、請求項４記載の発明は、収納手段に報知手段を拡大する視野拡大手段を備えたものであり、報知手段の色相変化を拡大し認識を容易にするという作用を有する。
【００３１】
また、請求項５記載の発明は、収納手段に報知手段を外部から目視可能とする表示手段を備え、表示手段の形状は文字、記号により報知するものであり、報知手段の色相変化を文字、記号により認識することができるという作用を有する。
【００３２】
また、請求項６記載の発明は、吸込口側の空気流路に収納手段を配置する配置手段を備えたものであり、吸湿した報知手段を吸込口側の空気流路に配置し吸込空気とモーターの熱により報知手段の乾燥を促進することができるという作用を有する。
【００３３】
また、請求項７記載の発明は、送風手段の熱を伝導し放熱する熱伝導手段と、熱伝導手段は本体の収納手段装着面に備えたものであり、モーターの熱により報知手段の乾燥を促進することができるという作用を有する。
【００３４】
また、請求項８記載の発明は、本体の収納手段を着脱する装着面に報知手段の乾燥を促進する乾燥手段を備えたものであり、乾燥手段の熱により報知手段の乾燥を促進するという作用を有する。
【００３５】
また、請求項９記載の発明は、吹出口側空気流路に複数の着脱手段と、吸込口側空気流路に複数の収納手段と、複数の収納手段と、収納手段に収納する報知手段を備えたものであり、複数の場所の加湿状態を色相変化により報知することができる。また、加湿装置の運転中に吹出口側の報知手段で報知しながら、吸込口側の吸湿した報知手段の乾燥を促進し、報知手段を入れ換えることにより利便性を向上することができるという作用を有する。
【００３６】
以下、本発明の実施の形態について図面を参照しながら説明する。
【００３７】
（実施の形態１）
図１は本願発明における加湿装置の構成を示す側面概略図、図２は加湿装置の構成を示す正面概略図である。
【００３８】
図１から図２に示すように、本体１は吸込口２と吹出口３を連通した空気流路に送風手段４としてファンモーターと、加熱手段５として電熱ヒーターが設けられている。給水タンク６は本体１から取り外し自在に設けられ、給水タンク６の水は、水槽７に一定に保たれる。この水槽７の貯留水に下部を浸した回転可能に軸支される加湿フィルターユニット８が設けられている。加湿フィルターユニット８を回転する回転手段９としてタイミングモーターは、駆動ギアによって加湿フィルターユニット８と連動している。湿度を吸湿し色相が変化する報知手段１０としてシリカゲルは、外部から目視できる吹出口３側の風路に配置している。送風手段４の横には、制御手段１１を配置している。
【００３９】
上記構成において、運転開始信号が制御手段１１に送られると送風手段４、加熱手段５、回転手段９に通電し運転を開始する。吸込口２から吸込まれた空気は、加熱手段５で暖められ回転手段９により回転する加湿フィルターユニット８に送風する。水槽７に下部を浸して回転する加湿フィルター１２の水分は加湿フィルター１２を通過した空気と接触することにより気化し加湿する。加湿された加湿空気の湿度は吹出口３から本体１外へ放出される。報知手段１０は、吹出される加湿空気を吸湿し吸湿前の青色からピンク色に色相が変化する。このように加湿空気の一部を報知手段１０の色相変化により加湿空気が吹出されていることを容易に認識することが可能となる。
【００４０】
（実施の形態２）
次に、本発明の実施の形態２について図面を参照しながら説明する。なお、実施の形態１と同一のものは同一番号を付し、その詳細な説明を省略する。
【００４１】
図３から図４に示すように、図１または図２の構成に加えて報知手段１０を収納し外部から目視可能とする収納手段１３としてアクリル樹脂と、収納手段１３の対角面には収納手段１３の内部に気流を通す開口部１４を設けている。本体１の吹出口３側風路には収納手段１３を保持し着脱することができるＬ字形状の着脱手段１５を設けている。
【００４２】
また、図５に示すように図３の構成に加えて収納手段１３に報知手段１０を交換可能とする開閉手段１６を設けている。
【００４３】
また、図６に示すように図５の構成に加えて収納手段１３に報知手段１０を拡大する視野拡大手段１７としてアクリルを使用した樹脂レンズを設けている。
【００４４】
また、図７に示すように図６の構成に加えて収納手段１３に報知手段１０を外部から目視可能とする表示手段１８を備え、表示手段１８の形状は文字、記号となっている。
【００４５】
上記構成において、運転開始信号が制御手段１１に送られると送風手段４、加熱手段５、回転手段９に通電し運転を開始する。収納手段１３に収めた報知手段１０は、使用者が直接報知手段１０に触れることなく取り扱いが可能となる。本体１の吹出口３側風路の着脱手段１５に収納手段１３を設置しているとき、吹出される加湿空気により収納手段１３の開口部から吸湿した報知手段１０は、吸湿前の青色からピンク色に色相が変化する。また、着脱手段１５から取り外した収納手段１３は、本体１から離れた場所の湿度を検出できる。本体１の加湿空気が吹出されている状態だけでなく本体１から離れた設置空間の湿度の変化も色相変化により確認することができる。報知手段１０は吸湿を繰り返すことにより色相の変化が劣化し色の変化が認識しにくくなる。吸湿劣化した報知手段１０は開閉手段１６を開閉することにより容易に新しい報知手段１０に取替えることができる。
【００４６】
また、視野拡大手段１７により報知手段を拡大し色相変化をより容易に確認することができる。
【００４７】
また、色相変化を文字、記号で表示し吹出湿度による色相変化をより容易に確認することができる。
【００４８】
（実施の形態３）
次に、本発明の実施の形態３について図面を参照しながら説明する。なお、実施の形態１から２と同一のものは同一番号を付し、その詳細な説明を省略する。
【００４９】
図８に示すように、図１から図６のいずれかの構成に加えて吸込口２から本体１の空気流路内に収納手段１３を挿入し、挿入した収納手段１３は中空枠形状の配置手段２０にて固定する。配置手段２０は、空気流路内の送風手段４の下流側に設け、挿入した収納手段１３を保持し着脱できるものである。
【００５０】
また、図９に示すように、送風手段４に送風手段４の熱を放熱する熱伝導手段２１としてアルミニウム板を送風手段４から収納手段１３に密着するように収納手段１３装着面の裏側まで延伸し設けている。
【００５１】
また、図１０に示すように、乾燥手段２２としてヒーターは、収納手段１３装着面に設けている。
【００５２】
上記構成において、吸湿状態となりピンク色に色相変化した報知手段１０を収納した収納手段１３は、吸込口２に取付けられているプリフィルター（図示せず）を取外し、吸込口２の挿入口１９から配置手段２０に挿入する。挿入した収納手段１３は空気流路内の中空枠形状の配置手段２０に保持される。本体１の運転と共に吸込口２から吸込まれた空気は、送風手段４の発熱により暖められ、送風手段４の下流側にある収納手段１３は暖められた気流により乾燥を促進することができる。乾燥により報知手段１０の色が青色に戻った後、再び吹出口の着脱手段１５に取付けることで加湿空気の一部を報知手段１０の色相変化により加湿空気が吹出されていることを容易に認識することが可能となる。
【００５３】
また、運転終了後も、送風手段４の熱が熱伝導手段２１を伝導することにより、余熱を利用し収納手段１３装着面を暖め着脱手段１５に配置した収納手段１３の乾燥を促進することができる。
【００５４】
また、運転終了時、乾燥手段２２を所定時間通電することにより収納手段１３装着面を暖め着脱手段１５にある収納手段１３の乾燥を促進することができる。
【００５５】
（実施の形態４）
次に、本発明の実施の形態４について図面を参照しながら説明する。なお、実施の形態１から３と同一のものは同一番号を付し、その詳細な説明を省略する。
【００５６】
図１１に示すように、図１から図１０のいずれかの構成に加えて吹出口３側空気流路に収納手段１３を保持し着脱することができるＬ字形状の着脱手段Ａ２３を複数設けている。また、吸込口２から本体１の空気流路内に収納手段１３を挿入し、挿入した収納手段１３は中空枠形状の配置手段Ａ２５にて固定する。複数の配置手段Ａ２５は、空気流路内の送風手段４の下流側に設け、挿入した収納手段１３を保持し着脱できるものである。
【００５７】
上記構成において、加湿空気の吹出しにともない吹出口３の複数の報知手段１０の色相変化により報知することができる。また、報知手段１０の一つは、吹出口３の着脱手段Ａ２３に挿入し本体１の運転状態を色相変化で報知しながら、他の報知手段１０は吸込口２側の配置手段Ａ２５に挿入し吸湿状態のピンク色に色相変化した報知手段１０の乾燥促進を同時に行うことができ、それぞれの報知手段１０を入れ換えることにより利便性を向上することができる。
【産業上の利用可能性】
【００５８】
サウナ装置等にも適用できる。
【図面の簡単な説明】
【００５９】
【図１】本発明の実施の形態１の加湿装置の構成を示す側面概略図
【図２】同実施の形態１の加湿装置の構成を示す正面概略図
【図３】同実施の形態２の加湿装置の収納手段の構成を示す正面概略図
【図４】同実施の形態３の加湿装置の構成を示す正面概略図
【図５】同実施の形態４の加湿装置の収納手段の構成を示す正面概略図
【図６】同実施の形態５の加湿装置の収納手段の構成を示す正面概略図
【図７】同実施の形態６の加湿装置の収納手段の構成を示す正面概略図
【図８】同実施の形態７の加湿装置の構成を示す側面概略図
【図９】同実施の形態８の加湿装置の構成を示す側面概略図
【図１０】同実施の形態９の加湿装置の構成を示す側面概略図
【図１１】同実施の形態１０の加湿装置の構成を示す正面概略図
【図１２】従来の加湿装置の構成図
【符号の説明】
【００６０】
１    本体
２    吸込口
３    吹出口
４    送風手段
５    加熱手段
６    給水タンク
７    水槽
８    加湿フィルターユニット
９    回転手段
１０  報知手段
１１  制御手段
１２  加湿フィルター
１３  収納手段
１４  開口部
１５  着脱手段
１６  開閉手段
１７  視野拡大手段
１８  表示手段
２０  配置手段
２１  熱伝導手段
２２  乾燥手段
２３  着脱手段Ａ
２５  配置手段Ａ
【図１】
2010249390.tif 000003
【図２】
2010249390.tif 000004
【図３】
2010249390.tif 000005
【図４】
2010249390.tif 000006
【図５】
2010249390.tif 000007
【図６】
2010249390.tif 000008
【図７】
2010249390.tif 000009
【図８】
2010249390.tif 000010
【図９】
2010249390.tif 000011
【図１０】
2010249390.tif 000012
【図１１】
2010249390.tif 000013
【図１２】
2010249390.tif 000014